(57)【要約】【課題】各種配管や配線が繋がった布団やマットレスなどの寝具に対して、配管や配線の寝具へ接続状態および配管や配線の太さや形状に関係なく幅広い形態の寝具に簡単に着脱することができる布団カバーを提供する。【解決手段】布団カバー１０は、略長方形状の袋状に形成されており、布製の表面部１１と裏面部１２とで構成されている。裏面部１２には、その中央部に略長方形状の開口部１４が形成されているとともに、同開口部１４の隅部１４ａから対角線方向外側に向ってファスナ１５が設けられている。ファスナ１５は、裏面部１２を分断した２つの布片１２ａ，１２ｂに設けられた一対のエレメント１５ａと、エレメント１５ａを結合または分離するスライダ１５ｂとから構成されており、布片１２ａ，１２ｂの接合および分離を自在に行なう。このファスナ１５は、開口部１４側から表面部１１の隅部側に向ってスライダ１５ｂを変位させることにより閉じるように設けられている。【選択図】  図１
2010240323.tif 000002
【特許請求の範囲】
【請求項１】
布団やマットレスに掛ける布団カバーであって、
前記布団やマットレスにおける使用面に掛けられる表面部と、
開口部を有し、前記布団やマットレスにおける前記使用面の反対面に掛けられる裏面部と、
前記裏面部における前記開口部から前記表面部の縁部に向かって閉じるファスナとを備えることを特徴とする布団カバー。
【請求項２】
請求項１に記載した前記布団カバーにおいて、
前記開口部は、前記布団カバー内に前記布団やマットレスを出し入れ可能な大きさに形成されていることを特徴とする布団カバー。
【請求項３】
請求項１または請求項２に記載した前記布団カバーにおいて、
前記裏面部は、前記ファスナが形成されるとともに同ファスナによって互いに接合または分離する２つの布片部分に、同部分に余裕を持たせるための襠が形成されていることを特徴とする布団カバー。
【請求項４】
請求項１ないし請求項３のうちのいずれか１つに記載した前記布団カバーにおいて、
前記表面部は、上面視において方形状に形成されており、
前記ファスナは、前記開口部から前記表面部における四隅のうちの少なくとも１つの隅部に向って設けられていることを特徴とする布団カバー。
【請求項５】
請求項１ないし請求項４のうちのいずれか１つに記載した前記布団カバーにおいて、
前記表面部と前記裏面部との境部分に貫通孔状の切欠き部が形成されていることを特徴とする布団カバー。
【請求項６】
請求項５に記載した前記布団カバーにおいて、
前記表面部は、上面視において方形状に形成されており、
前記切欠き部は、前記表面部における四隅にそれぞれ設けられていることを特徴とする布団カバー。
【請求項７】
請求項５または請求項６に記載した前記布団カバーにおいて、
前記ファスナは、前記開口部から前記切欠き部に亘って設けられていることを特徴とする布団カバー。
【発明の詳細な説明】
【技術分野】
【０００１】
本発明は、布団やマットレスに掛けられる布団カバーに関する。
【背景技術】
【０００２】
一般に、敷布団、掛布団またはマットレスなどの寝具においては、使用による直接的な汚損から寝具を保護するためシーツなどの布団カバーが掛けられて使用されている。布団カバーは、寝具を出し入れするための開口部を備えた布製の袋体であり、寝具より一回り大きい大きさの略長方形状に形成されている。このような布団カバーには、寝具を出し入れするための開口部がファスナなどの留め具により開閉自在に構成されたものと、留め具を用いず常に開口した状態に構成されたものとがあるが、いずれにしても作業者は、この開口部を介して寝具を出し入れすることによって布団カバーを寝具に装着または取り外しを行なっている。
【０００３】
一方、敷布団やマットレスの中には、内部に空気を送り込んで使用面の硬さを調節できるものや、使用面の内側に設けた電熱線により使用面を暖めて使用者を保温するなどの機能を備えたものがある。このような機能を有する寝具においては、寝具に空気や電気を供給するための長尺の配管や配線が寝具の縁部や隅部に繋がっている。このため、布団カバーの寝具への着脱作業が行い難いとともに、布団カバーにもこれらの配管や配線を避けるための工夫が必要となる。例えば、寝具に繋がった配管や配線を通すために、下記特許文献１〜４に示すような貫通孔を布団カバーの縁部や隅部に設けるなどの構成が必要となる。なお、下記特許文献１〜４に示される貫通孔は、布団カバーの装着作業性を向上させるために設けられるものである。
【先行技術文献】
【特許文献】
【０００４】
【特許文献１】実開昭５３−１６４４１４号公報
【特許文献２】実開昭６１−１９４３７６号公報
【特許文献３】実開平０１−１４５２７２号公報
【特許文献４】特開平０６−２１７８５６号公報
【発明の概要】
【０００５】
しかしながら、このような縁部や隅部に貫通孔を備えたのみの構成の布団カバーにおいては、貫通孔に配管や配線を通すためにこれらの配管や配線を寝具から一旦外して通す必要がある。このため、布団カバーの寝具への着脱作業が煩雑であるという問題がある。また、空気の供給中などの各種機能の使用中においては配管や配線を寝具から外すことができないため布団カバーの交換作業ができないという問題もある。さらに、配管や配線が寝具から外せないタイプの寝具、または貫通孔の大きさに対して配管や配線の太さが太い寝具においては布団カバーを寝具に装着できず寝具の種類に対する汎用性が低いという問題もある。
【０００６】
本発明は上記問題に対処するためなされたもので、その目的は、各種配管や配線が繋がった布団やマットレスなどの寝具に対して、配管や配線の寝具へ接続状態および配管や配線の太さや形状に関係なく幅広い形態の寝具に簡単に着脱することができる布団カバーを提供することにある。
【０００７】
上記目的を達成するため、請求項１に係る本発明の特徴は、布団やマットレスに掛ける布団カバーであって、布団やマットレスにおける使用面に掛けられる表面部と、開口部を有し、布団やマットレスにおける使用面の反対面に掛けられる裏面部と、裏面部における開口部から表面部の縁部に向かって閉じるファスナとを備えることにある。
【０００８】
このように構成した請求項１に係る本発明の特徴によれば、布団カバーにおける使用面の反対側である裏面部に、開口部と同開口部から表面部の縁部に向かってファスナとが設けられている。そして、この場合、ファスナは、開口部から表面部の縁部に向って閉じる向きで設けられている。したがって、布団カバーを装着する作業者は、ファスナを外して同ファスナによって接合される２つの布片を分離した状態で同２つの布片の間に布団やマットレスなどの寝具に繋がった配管や配線を位置させつつ同２つの布片が分離することにより大きさが広がった開口部を介して寝具を布団カバー内に出し入れすることができる。この場合、寝具の配線や配管の周囲を覆う布団カバーの裏面部は、ファスナが開くことによって２つの布片に分離するため配管や配線を寝具から外すことなく繋がった状態で容易に布団カバー内に出し入れすることができる。そして、作業者は、分離した２つの布片をファスナを介して接合する。この場合、ファスナは、開口部から表面部の縁部に向って閉じられるため、配管や配線の太さに応じた位置でファスナのスライダを止めることにより分離した２つの布片を接合することができる。これらの結果、各種配管や配線が繋がった布団やマットレスなどの寝具に対して、配管や配線の寝具へ接続状態および配管や配線の太さや形状に関係なく幅広い形態の寝具に簡単に着脱することができる。
【０００９】
また、請求項２に係る本発明の他の特徴は、前記布団カバーにおいて、前記開口部は、布団カバー内に布団やマットレスを出し入れ可能な大きさに形成されていることにある。
【００１０】
このように構成した請求項２に係る本発明の他の特徴によれば、布団カバーの裏面部に形成された開口部は布団やマットレスを出し入れ可能な大きさに形成されている。これにより、ファスナを閉じた状態で布団カバー内に布団やマットレスなどの寝具を挿入することができる。この結果、より簡単に寝具を布団カバーに着脱することができる。
【００１１】
また、請求項３に係る本発明の他の特徴は、前記布団カバーにおいて、裏面部は、ファスナが形成されるとともに同ファスナによって互いに接合または分離する２つの布片部分に、同部分に余裕を持たせるための襠が形成されていることにある。
【００１２】
このように構成した請求項３に係る本発明の他の特徴によれば、裏面部におけるファスナが形成される部分に同部分に余裕を持たせるための襠が形成されている。このため、ファスナを開くことにより分離した２つの布片の間に容易に配管や配線を配置することができるとともに、同２つの布片の間から容易に配管や配線を取り除くことができる。また、
ファスナを閉じた際においては、閉じたスライダの開く側への自然変位を抑えることができる。すなわち、布団カバーの寝具への着脱作業の作業性および布団カバーを寝具に装着した際の装着安定性を向上させることができる。
【００１３】
また、請求項４に係る本発明の他の特徴は、前記布団カバーにおいて、前記表面部は、上面視において方形状に形成されており、ファスナは、開口部から表面部における四隅のうちの少なくとも１つの隅部に向って設けられていることにある。
【００１４】
このように構成した請求項４に係る本発明の他の特徴によれば、方形状に形成されるとともに、同方形状のうちの隅部に配管や配線が設けられた寝具、すなわち、一般的に最も多く採用されている形態の寝具に対して、配管や配線の寝具へ接続状態および配管や配線の太さや形状に関係なく簡単に着脱することができる。
【００１５】
また、請求項５に係る本発明の他の特徴は、前記布団カバーにおいて、前記表面部と前記裏面部との境部分に貫通孔状の切欠き部が形成されていることにある。
【００１６】
このように構成した請求項５に係る本発明の他の特徴によれば、布団カバーの縁部に切欠き部を設けることにより、布団カバーを洗濯する際に切欠き部を介して水が流通するため布団カバーの内側部分の洗浄が促進されるとともに同内側部分にゴミが溜まることを防止することができる。また、寝具に布団カバーを被せる際、切欠き部を利用して布団カバーを作業性良く寝具に装着することができる。具体的には、切欠き部内に手を挿入するなどして、布団カバーと寝具との位置関係や布団カバーの張り具合の調整および布団カバーのシワや偏りの除去などを行なうことができる。また、布団カバーと寝具との間に電気毛布を配置する場合においても、電気毛布を敷く作業を行いやすくすることができる。
【００１７】
また、請求項６に係る本発明の他の特徴は、前記布団カバーにおいて、前記表面部は、上面視において方形状に形成されており、切欠き部は、表面部における四隅にそれぞれ設けられていることにある。
【００１８】
このように構成した請求項６に係る本発明の他の特徴によれば、表面部の四隅に切欠き部が形成されている。これにより、前記と同様に、布団カバーの内側部分の洗浄が促進されるとともに同内側部分にゴミが溜まることを防止される。また、寝具に布団カバーを被せる際、切欠き部を利用して布団カバーを作業性良く寝具に装着することができる。具体的には、切欠き部内に寝具の四隅部分を適宜挿入して引っ掛けたり、前記と同様に切欠き部内に手を挿入するなどして、布団カバーと寝具との位置関係や布団カバーの張り具合の調整および布団カバーのシワや偏りの除去などを行なうことができる。さらに、また、布団カバーを寝具から外した状態で布団カバーにおける長手方向に形成された２つの切欠き部にそれぞれ棒体を貫通させることにより、布団カバーを担架として用いることもできる。
【００１９】
また、請求項７に係る本発明の他の特徴は、前記布団カバーにおいて、ファスナは、開口部から切欠き部に亘って設けられていることにある。
【００２０】
このように構成した請求項７に係る本発明の他の特徴によれば、寝具における配管や配線が設けられた位置に対応して布団カバーの縁部に切欠き部を配管や配線の太さに応じた大きさで形成しておくことにより、寝具に設けられた配管や配線に対してより治まりの良い状態で布団カバーを装着することができる。この場合、切欠き部が設けられる縁部には、方形状に形成された布団カバーにおける隅部も含まれる。
【図面の簡単な説明】
【００２１】
【図１】（Ａ），（Ｂ）は、本発明の一実施形態に係る布団カバーの全体構成を示しており、（Ａ）は平面図であり、（Ｂ）は背面図である。
【図２】図１に示す布団カバーが装着されるエアマットレスの外観を示す斜視図である。
【図３】図１に示す布団カバーにおいてファスナを開いた状態を示す背面図である。
【図４】（Ａ），（Ｂ）は、図１に示す布団カバーを図２に示すエアマットレスに装着した状態を示しており、（Ａ）は表側斜視図であり、（Ｂ）は裏側斜視図である。
【図５】（Ａ），（Ｂ）は、本発明の変形例および他の変形例をそれぞれ示した背面図である。
【図６】本発明の他の変形例を示した背面図である。
【図７】本発明の他の変形例を示した背面図である。
【図８】（Ａ），（Ｂ）は、本発明の他の変形例に係る布団カバーの平面図を示しており、（Ａ）はファスナを閉じた状態を示す背面図であり、（Ｂ）はファスナを開いた状態を示す背面図背面図である。
【発明を実施するための形態】
【００２２】
以下、本発明に係る布団カバーの一実施形態について図面を参照しながら説明する。図１（Ａ），（Ｂ）は、本発明に係る布団カバー１０の平面図および背面図である。なお、本明細書において参照する各図は、本発明の理解を容易にするために一部の構成要素を誇張して表わすなど模式的に表している。このため、各構成要素間の寸法や比率などは異なっていることがある。この布団カバー１０は、例えば、図２に示すようなエアマットレス２０の外表面に掛けられてエアマットレス２０の汚損を防止するためのものである。ここで、エアマットレスとは、主として寝たきりの患者の褥瘡（床ずれ）防止を目的として、マットレス２１の内部にエア配管２２を介して空気を供給または同内部に供給された空気を排出することによりマットレス２１における使用面（表面）２３の硬さや角度を変化させることができる介護用の寝具である。
【００２３】
（布団カバー１０の構成）
布団カバー１０は、平面視において略長方形状をした袋状に形成されており、主として綿材およびポリエステル材からなる表面部１１および裏面部１２によって構成されている。表面部１１は、エアマットレス２０における使用面２３に掛けられて同使用面２３を覆う部分であり、布団カバー１０の使用者に直接触れる使用面となる部分である。この表面部１１は、布団カバー１０を装着するエアマットレス２０の使用面２３の大きさより若干大きく形成されている。本実施形態においては、表面部１１は、９１０ｍｍ×１９５０ｍｍの大きさに形成されている。なお、表面部１１の大きさは、布団カバー１０を装着する布団やマットレスの使用面の大きさに応じて適宜決定されるものであり、本実施形態の大きさに限定されるものではない。
【００２４】
この表面部１１の周囲には、裏面部１２が形成されている。裏面部１２は、エアマットレス２０の側面および底面に掛けられてエアマットレス２０を包み込む部分であり、表面部１１の裏面側に向って折り返されて形成されている。この裏面部１２と前記表面部１１との境部分における布団カバー１０の四隅には、円形の貫通孔で構成された切欠き部１３ａ〜１３ｄがそれぞれ形成されている。
【００２５】
切欠き部１３ａ〜１３ｄは、布団カバー１０をエアマットレス２０に装着する作業または取り外す作業を行い易くするとともに、布団カバー１０の洗濯時における布団カバー１０の内側部分（袋部分）への洗浄水の流通を促進して洗浄効果の向上および同内側部分のゴミの残留を防止するためのものである。また、エアマットレス２０の使用者の救急時においては、布団カバー１０をエアマットレス２０から取り外した状態で同布団カバー１０の長手方向に沿って図示しない棒体を切欠き部１３ａ，１３ｃよび切欠き部１３ｂ，１３ｄに挿し込むことにより布団カバー１０を担架として用いることができるものでもある。
【００２６】
これらの切欠き部１３ａ〜１３ｄの各直径は、本実施形態においては、切欠き部１３ａ〜１３ｃが約８０ｍｍ、切欠き部１３ｄが約５０ｍｍにそれぞれ形成されている。この場合、切欠き部１３ｄの直径が切欠き部１３ａ〜１３ｃの直径に比べて小さいのは、裏面部１２に形成される切欠き部１３ｄの近傍に後述するファスナ１５が形成されるためである。なお、切欠き部１３ａ〜１３ｄの各直径は、使用目的に応じて適宜設定されるものであり、本実施形態に限定されるものではないことは当然である。
【００２７】
一方、この裏面部１２の中央部には、布団カバー１０の長手方向に沿った略長方形状の開口部１４が形成されている。開口部１４は、布団カバー１０をエアマットレス２０に装着する際または取り外す際にエアマットレス２０を布団カバー１０内に出し入れするための貫通孔である。本実施形態においては、開口部１４は、８１０ｍｍ×１８５０ｍｍの大きさに形成されている。なお、開口部１４の大きさもエアマットレス２０を出し入れ可能な大きさであれば、本実施形態の大きさに限定されるものではない。すなわち、裏面部１２の形状や大きさは、エアマットレス２０の側面の厚さや開口部１４の大きさに応じて決定されるものであり、上記実施形態に限定されるものではない。
【００２８】
また、裏面部１２には、開口部１４の四隅のうちの１つの隅部１４ａから対角線方向外側（図示左下方）に向って切欠き部１３ｄの手前の位置までファスナ１５が設けられている。本実施形態においては、ファスナ１５は、開口部１４の隅部１４ａから切欠き部１３ｄの手前約５０ｍｍの位置まで、約４５０ｍｍの長さで設けられている。ファスナ１５は、裏面部１２を隅部１４ａから前記切欠き部１３ｄの手前部分まで分断した２つの布片１２ａ，１２ｂに一対のエレメント（務歯）１５ａを設けるとともに、これら一対のエレメント１５ａをスライダ１５ｂの変位によって結合または分離させることによって前記２つの布片１２ａ，１２ｂの接合および分離を自在に行なうための樹脂製の留め具である。このファスナ１５は、開口部１４側から表面部１１の隅部側に向ってスライダ１５ｂを変位させることにより閉じるように設けられている。
【００２９】
また、ファスナ１５が形成された２つに布片１２ａ，１２ｂには、同布片１２ａ，１２ｂに余裕を持たせるための襠が形成されている。布片１２ａ，１２ｂは、ファスナ１５を開いて布片１２ａ，１２ｂが互いに分離した状態で、互いの一部分同士が重なり合う程度の大きさに形成されている。したがって、ファスナ１５を閉じた際には、布片１２ａ，１２ｂが弛んだ状態となる（図１（Ｂ）参照）。
【００３０】
（布団カバー１０の作動）
次に、上記のように構成した布団カバー１０の作動について説明する。まず、作業者は、エアマットレス２０の大きさに対応した大きさの布団カバー１０を用意する。次に、作業者は、図３に示すように、布団カバー１０のファスナ１５におけるスライダ１５ｂを開口部１４側にスライドさせて裏面部１２における２つの布片１２ａ，１２ｂを分離した状態とする。これにより、裏面部１２における２つの布片１２ａ，１２ｂは、切欠き部１３ｄ側から開口部１４側に向かって開くように分離される。
【００３１】
次に、作業者は、布団カバー１０の裏面部１２における開口部１４にエアマットレス２０を通すことにより布団カバー１０をエアマットレス２０に被せる。具体的には、作業者は、エアマットレス２０の使用面２３が布団カバー１０の表面部１１によって覆われるとともに、分離した２つの布片１２ａ，１２ｂの間にエアマットレス２０のエア配管２２が位置するように布団カバー１０をエアマットレス２０に被せる。この場合、布団カバー１０の裏面部１２における布片１２ａ，１２ｂは互いに分離した状態であるため、エアマットレス２０のエア配管２２をエアマット２１から外すことなく布団カバー１０をエアマットレス２０に被せることができる。また、２つの布片１２ａ，１２ｂには襠が形成されているため、布片１２ａと布片１２ｂとの間を大きく開口することができ、エアマットレス２０のエア配管２２を布片１２ａと布片１２ｂとの間に容易に配置することができる。
【００３２】
また、この場合、作業者は、エアマットレス２０に布団カバー１０を被せる際、切欠き部１３ａ〜１３ｄを利用して布団カバー１０をエアマットレス２０に装着する。具体的には、切欠き部１３ａ〜１３ｄ内にエアマットレス２０の四隅部を適宜挿入して引っ掛けたり、同切欠き部１３ａ〜１３ｄ内に手を挿入するなどして、布団カバー１０とエアマットレス２０との位置関係や布団カバー１０の張り具合の調整および布団カバー１０のシワや偏りの除去などを行なう。
【００３３】
次に、作業者は、互いに分離した布片１２ａ，１２ｂを互いに寄せてファスナ１５のエレメント１５ａにおける隅部１４ａ側の端部を接続した後、スライダ１５ｂを隅部１４ａ側から切欠き部１３ｄ側にスライドさせることによりファスナ１５を閉める。この場合、作業者は、スライダ１５ｂをエアマットレス２０のエア配管２２に当たる位置までスライドさせる。これにより、図４（Ａ），（Ｂ）に示すように、エアマットレス２０における裏面からエア配管２２までの範囲がエア配管２２の数や太さに関わらず布団カバー１０の裏面部１２によって覆われてエアマットレス２０への布団カバー１０の装着作業が完了する。
【００３４】
この場合、２つの布片１２ａ，１２ｂには襠が形成されているため、接合された２つの布片１２ａ，１２ｂは、エアマットレス２０におけるエア配管２２の周囲の形状に応じて膨らんだ状態または弛んだ状態となる。すなわち、接合状態にあるファスナ１５のエレメント１５ａが上下方向に曲がった状態となるため、閉じたスライダ１５ｂの開く側への自然変位を抑えることができる。これにより、布団カバー１０を安定的にエアマットレス２０に装着することができる。なお、図４（Ｂ）は、布団カバー１０のエアマットレス２０への装着状態の理解を助けるため、布団カバー１０が装着されたエアマットレス２０を敢えて裏面から見た斜視図を示している。
【００３５】
そして、このように布団カバー１０が装着されたエアマットレス２０は使用者による利用に供される。一方、エアマットレス２０から布団カバー１０を取り外す場合には、作業者は、ファスナ１５におけるスライダ１５ｂを切欠き部１３ｄ側から開口部１４側にスライドさせて裏面部１２における２つの布片１２ａ，１２ｂを分離させる。これにより、裏面部１２における２つの布片１２ａ，１２ｂは、切欠き部１３ｄ側から開口部１４に向かって開くように分離される。したがって、作業者は、エアマットレス２０におけるエア配管２２から布団カバー２０の裏面部２３を外すとともに、開口部１４を介してエアマットレス２０を布団カバー１０から抜き取ることにより布団カバー１０をエアマットレス２０から取り外すことができる。なお、この場合においても、２つの布片１２ａ，１２ｂに形成された襠により布片１２ａと布片１２ｂとの間を大きく開口することができるため、布片１２ａと布片１２ｂとの間から容易にエアマットレス２０のエア配管２２を取り除くことができる。
【００３６】
なお、このように布団カバー１０をエアマットレス２０から取り外した場合、布団カバー１０を担架として利用することもできる。すなわち、布団カバー１０をエアマットレス２０から取り外した後、布団カバー１０の切欠き部１３ａ，１３ｃおよび切欠き部１３ｂ，１３ｄに剛性のある棒体を通すことにより布団カバー１０を担架として用いることができる。
【００３７】
上記作動説明からも理解できるように、上記実施形態によれば、布団カバー１０における表面部１１の反対側である裏面部１２に、開口部１４と同開口部１４から表面部１１の隅部に向かってファスナ１５とが設けられている。そして、この場合、ファスナ１５は、開口部１４から表面部１１の隅部に向って閉じる向きで設けられている。したがって、布団カバー１０を装着する作業者は、ファスナ１５を外して同ファスナ１５によって接合される２つの布片１２ａ，１２を互いに分離した後、これら２つの布片１２ａ，１２ｂの間にエアマットレス２０に繋がったエア配管２２を位置させるとともに同２つの布片１２ａ，１２ｂの分離により大きさが広がった開口部１４を介してエアマットレス２０を布団カバー１０内に出し入れする。この場合、エアマットレス２０のエア配管２２の周囲を覆う布団カバー１０の裏面部１２は、ファスナ１５を開くことによって２つの布片１２ａ，１２ｂに分離するためエア配管２２をエアマットレス２０から外すことなく繋がった状態で容易に布団カバー１０内に出し入れすることができる。
【００３８】
そして、作業者は、分離した２つの布片１２ａ，１２ｂをファスナ１５を介して接合する。この場合、ファスナ１５は、開口部１４から表面部１１の隅部に向って閉じられるため、エア配管２２の太さに応じた位置でファスナ１５のスライダ１５ｂを止めることにより分離した２つの布片１２ａ，１２ｂを接合する。これらの結果、エア配管２２のエアマットレス２０へ接続状態およびエア配管２２の太さなどに関係なくエアマットレス２０に布団カバー２０を簡単に着脱することができる。
【００３９】
さらに、本発明の実施にあたっては、上記実施形態に限定されるものではなく、本発明の目的を逸脱しない限りにおいて種々の変更が可能である。
【００４０】
例えば、上記実施形態においては、布団カバー１０を介護用の寝具であるエアマットレス２０に装着した。しかし、布団カバー１０は、各種配管や配線が繋がった布団やマットレスなどの寝具に対して装着されるものであり、必ずしもエアマットレス２０に限定されるものではない。例えば、布団やマットレスなどの寝具の使用面（表面）を暖めるために、同使用面の内側に電熱線が埋設された形態の寝具に対しても幅広く適用できる。また、寝具には、使用者の下側に敷かれる敷布や敷布団の他に、使用者の上側に掛けられる掛布や掛布団なども含まれる。
【００４１】
なお、各種配線や配管が直接布団やマットレスなどに繋がっていなくても、使用面の硬さや角度を調節する機能や使用面を暖める機能などの各種機能を備えた寝具と通常の布団やマットレスなどの寝具とを併用する場合にも本発明に係る布団カバー１０を適用できることは当然である。例えば、通常の敷布団の使用面上に電気毛布を重ねて使用する場合においては、電気毛布が重ねられた敷布団に対して布団カバー１０を装着することになる。また、本発明は、電気毛布のカバーとしても実施できるものである。
【００４２】
また、上記実施形態においては、ファスナ１５を裏面部１２における開口部１４の隅部１４ａから表面部１１の隅部に向って形成した。しかし、ファスナ１５は、布団カバー１０を装着するエアマットレス２０などの寝具における配管や配線が設けられている位置に対応して設けられるものであり、形成する位置、長さおよび形状等は、当然、上記実施形態に限定されるものではない。したがって、例えば、上記実施形態におけるファスナ１５の長さ（４５０ｍｍ）より短くまたは長く形成してもよいし、その形状も円弧状にカーブさせて形成してもよい。また、例えば、図５（Ａ）に示すように、布団カバー１０における裏面部１２の開口部１４から表面部１１の縁部中央部に向って設けることもできる。
【００４３】
また、この場合、図５（Ｂ）に示すように、表面部１１と裏面部１２との境部分にファスナ１５と繋がった状態で貫通孔状の切欠き部１３ｅを設けることもできる。この場合、切欠き部１３ｅの大きさは、寝具に繋がっている配管や配線の太さに対応させてもよい。これによれば、配管や配線に布団カバー１０における切欠き部１３ｅの端部が密着するため、寝具に設けられた配管や配線に対してより治まりの良い状態で布団カバーを装着することができる。なお、表面部１１と裏面部１２との境部分とは、表面部１１および裏面部１２の両方またはいずれか一方に切欠き部１３ｅが形成されることを含むものである。また、図５（Ａ），（Ｂ）においては、上記実施形態における布団カバー１０に対応する部分に同じ符号を付している。
【００４４】
また、上記実施形態においては、開口部１４の大きさを、エアマットレス２０が出し入れ可能な大きさに形成した。この場合、エアマットレス２０を出し入れ可能な大きさは、布団カバー１０またはエアマットレス２０を変形させずに、または変形させることによりエアマットレス２０を布団カバー１０内に出し入れ可能な大きさである。しかし、開口部１４は、必ずしもエアマットレス２０が出し入れ可能な大きさに形成する必要はない。例えば、図６に示すように、ファスナ１５を開くことによる布片１２ａ，１２ｂの分離と併せてエアマットレス２０が出し入れ可能な大きさとなる大きさに開口部１４を形成することもできる。なお、図６においては、上記実施形態における布団カバー１０に対応する部分に同じ符号を付している。
【００４５】
また、上記実施形態においては、布団カバー１０の裏面部１２に１つのファスナ１５を設けた。しかし、裏面部１２に設けるファスナ１２の数は、上記実施形態に限定されるものではない。すなわち、布団カバー１０の裏面部１２に複数のファスナ１５を設けるようにしてもよい。例えば、図７に示すように、開口部１４の四隅にそれぞれ表面部１１に向ってファスナ１５１〜１５４を設けることもできる。これによれば、幅広い形態の寝具に対して汎用的に布団カバー１０を利用することができる。また、例えば、配管や配線が上記実施形態とは異なる隅部に繋がった寝具や、配管や配線が複数の隅部に繋がった寝具に汎用的に用いることができる。また、この場合、切欠き部１３ａ〜１３ｄに代えて開口部１４の四隅に設けられたファスナ１５１〜１５４を用いて布団カバー１０を担架として利用することもできる。なお、図７においては、上記実施形態における布団カバー１０に対応する部分に同じ符号を付している。
【００４６】
また、上記実施形態においては、布団カバー１０の四隅における表面部１１と裏面部１２の境部分に切欠き部１３ａ〜１３ｄを設けた。しかし、切欠き部１３ａ〜１３ｄは、主として、布団カバー１０のエアマットレス２０に対する着脱作業を容易するために設けたものである。すなわち、切欠き部１３ａ〜１３ｄは、本発明に係るファスナ１５を実施する上で必ずしも必要な構成ではない。また、切欠き部１３ａ〜１３ｄを設ける数も必要に応じて設定すればよいものであるため、１つでもよいし５つ以上設けてもよい。なお、切欠き部１３ａ〜１３ｄは、ファスナ１５と繋げることにより、図５（Ｂ）に示すように、配管や配線を治める部分として利用することもできる。
【００４７】
また、上記実施形態においては、布団カバー１０の形状は、布団やマットレスなどの寝具の一般的な形状である長方形状とした。しかし、布団カバー１０の形状は、装着の対象である布団やマットレスなどの寝具の外形状に応じて設定されるものであることは当然である。したがって、例えば、布団カバー１０を円形などの長方形以外の形状に形成することもできる。これによっても、上記実施形態と同様の効果が期待できる。
【００４８】
また、上記実施形態においては、布団カバー１０の裏面部１２における布片１２ａ，１２ｂに襠を形成した。しかし、布片１２ａ，１２ｂに形成した襠は、布団カバー１０のエアマットレス２０への着脱作業の作業性および布団カバー１０をエアマットレス２０に装着した際の装着安定性を向上させるためのものである。したがって、布団カバー１０の着脱作業性および装着安定性を無視できる場合には、例えば、図８（Ａ），（Ｂ）に示すように、布片１２ａ、１２ｂに襠を設けない構成とすることもできる。これによれば、互いに接合された布片１２ａ，１２ｂが張られた状態で凹凸を抑えて美観良く布団カバー１０をエアマットレス２０に装着することができる。なお、図８においては、上記実施形態における布団カバー１０に対応する部分に同じ符号を付している。
【符号の説明】
【００４９】
１０…布団カバー、１１…表面部、１２…裏面部、１２ａ，１２ｂ…布片、１３ａ〜１３ｅ…切欠き部、１４…開口部、１４ａ…隅部、１５，１５１〜１５４…ファスナ、１５ａ…セグメント、１５ｂ…スライダ、２０…エアマットレス、２１…マットレス、２２…エア配管、２３…使用面。
【図１】
2010240323.tif 000003
【図２】
2010240323.tif 000004
【図３】
2010240323.tif 000005
【図４】
2010240323.tif 000006
【図５】
2010240323.tif 000007
【図６】
2010240323.tif 000008
【図７】
2010240323.tif 000009
【図８】
2010240323.tif 000010